(57)【要約】【課題】この発明は、出力バッファがオーバーフローすることを極力防止して、ネットワークに接続された記録再生機器に対する放送コンテンツの記録処理を高い信頼性を持って実現することができ、実用化に好適する放送受信装置及びその制御方法を提供することを目的としている。【解決手段】受信した放送コンテンツを出力バッファ７５を介してネットワーク上に送信し、外部の記録機器２７に記録させる記録処理と、ネットワーク経由で外部の機器２８から得たコンテンツを入力バッファ７６を介して取得する取得処理とが同時に行なわれる場合、出力バッファ７５に蓄積されたデータ量が予め設定された所定値以上になったとき、取得処理で取得するデータ量を制限する。【選択図】図１
2007067930.tif 000002
【特許請求の範囲】
【請求項１】
受信した放送コンテンツを出力バッファを介してネットワーク上に送信し、外部の記録機器に記録させる記録手段と、
前記ネットワーク経由で外部の機器から得たコンテンツを入力バッファを介して取得する取得手段と、
前記記録手段による放送コンテンツの記録処理と前記取得手段によるコンテンツの取得処理とが同時に行なわれている状態で、前記出力バッファに蓄積されたデータ量が予め設定された所定値以上になったことを検出する検出手段と、
前記検出手段の検出結果に基づいて、前記取得手段で取得するデータ量を制限する制御手段とを具備することを特徴とする放送受信装置。
【請求項２】
前記制御手段は、前記出力バッファに蓄積されたデータ量が予め設定された所定値以上になったことを示す検出結果に基づいて、前記取得手段による取得処理を停止させることを特徴とする請求項１記載の放送受信装置。
【請求項３】
前記出力バッファは、予め設定されたデータ量を記録可能な複数のブロックに分割されており、
前記検出手段は、前記出力バッファが有する複数のブロックのうち、まだデータが読み出されていないブロックの数が所定数以上になったことを検出することを特徴とする請求項１記載の放送受信装置。
【請求項４】
前記記録手段は、
放送信号を受信する受信手段と、
前記受信手段で受信された放送信号に復調処理を施す復調手段と、
前記復調手段で復調されたデータを前記出力バッファに蓄積する蓄積手段と、
前記蓄積手段で前記出力バッファに蓄積されたデータを読み出して、前記ネットワーク上の記録機器に送信する送信手段とを具備することを特徴とする請求項１記載の放送受信装置。
【請求項５】
前記記録手段はテレビジョン放送を受信し、前記取得手段はＡＶコンテンツを取得することを特徴とする請求項１記載の放送受信装置。
【請求項６】
ネットワーク経由で外部の機器から得たコンテンツを入力バッファを介して取得する取得処理を実行する第１の工程と、
前記第１の工程による取得処理が実行されたとき、受信した放送コンテンツを出力バッファを介して前記ネットワーク上に送信し外部の記録機器に記録させる記録処理が実行中であることを検出する第２の工程と、
前記第２の工程による検出結果に基づいて、前記出力バッファに蓄積されたデータ量が予め設定された所定値以上になったことを検出する第３の工程と、
前記第３の工程による検出結果に基づいて、前記第１の工程で取得するデータ量を制限する第４の工程とを具備することを特徴とする放送受信装置の制御方法。
【請求項７】
前記第４の工程は、前記出力バッファに蓄積されたデータ量が予め設定された所定値以上になったことを示す検出結果に基づいて、前記第１の工程による取得処理を停止させることを特徴とする請求項６記載の放送受信装置の制御方法。
【請求項８】
前記出力バッファは、予め設定されたデータ量を記録可能な複数のブロックに分割されており、
前記第３の工程は、前記出力バッファが有する複数のブロックのうち、まだデータが読み出されていないブロックの数が所定数以上になったことを検出することを特徴とする請求項６記載の放送受信装置の制御方法。
【請求項９】
前記記録処理は、
放送信号を受信する受信工程と、
前記受信工程で受信された放送信号に復調処理を施す復調工程と、
前記復調工程で復調されたデータを前記出力バッファに蓄積する蓄積工程と、
前記蓄積工程で前記出力バッファに蓄積されたデータを読み出して、前記ネットワーク上の記録機器に送信する送信工程とを具備することを特徴とする請求項６記載の放送受信装置の制御方法。
【請求項１０】
前記記録処理はテレビジョン放送を受信し、前記取得処理はＡＶコンテンツを取得することを特徴とする請求項６記載の放送受信装置の制御方法。
【発明の詳細な説明】
【技術分野】
【０００１】
この発明は、受信した放送コンテンツを、例えば家庭内ネットワークを介してデジタル記録再生機器に記録させる放送受信装置及びその制御方法に関する。
【背景技術】
【０００２】
周知のように、首記の如き放送受信装置は、受信した放送コンテンツを、一旦出力バッファに蓄積している。そして、この出力バッファに蓄積された放送コンテンツを、予め設定された所定のデータ量毎に読み出し、家庭内ネットワークを介してＨＤＤ（hard disk drive）等のデジタル記録再生機器に送信して記録させるようにしている。
【０００３】
ところで、この種の放送受信装置においては、受信した放送コンテンツをデジタル記録再生機器に記録させている処理中に、ネットワークの負荷状況等によってデジタル記録再生機器へのデータ伝送速度が遅くなると、出力バッファがオーバーフローして記録処理が破綻するという問題が生じる。
【０００４】
特許文献１には、ビデオサーバと端末コンピュータとで構成されるネットワークシステムにおいて、ファイル入出力型の端末コンピュータをストリーム型のサーバに適応した要求に変換する際、バッファの残容量が所定値より少なくなった場合に、端末コンピュータが、サーバにストリーム型の送出一時停止要求を発行する構成が開示されている。
【特許文献１】特開平１１−１９１８８４号公報
【発明の開示】
【発明が解決しようとする課題】
【０００５】
しかしながら、特許文献１では、上記のように、放送受信装置が受信した放送コンテンツをデジタル記録再生機器に送信して記録させる際に、ネットワークの負荷状況等によって出力バッファがオーバーフローして記録処理が破綻するという問題に対しては、何らの対処もなされていないものである。
【０００６】
そこで、この発明は上記事情を考慮してなされたもので、出力バッファがオーバーフローすることを極力防止して、ネットワークに接続された記録再生機器に対する放送コンテンツの記録処理を高い信頼性を持って実現することができ、実用化に好適する放送受信装置及びその制御方法を提供することを目的とする。
【課題を解決するための手段】
【０００７】
この発明の実施の形態に係る放送受信装置は、受信した放送コンテンツを出力バッファを介してネットワーク上に送信し、外部の記録機器に記録させる記録手段と、ネットワーク経由で外部の機器から得たコンテンツを入力バッファを介して取得する取得手段と、記録手段による放送コンテンツの記録処理と取得手段によるコンテンツの取得処理とが同時に行なわれている状態で、出力バッファに蓄積されたデータ量が予め設定された所定値以上になったことを検出する検出手段と、検出手段の検出結果に基づいて、取得手段で取得するデータ量を制限する制御手段とを備えるようにしたものである。
【０００８】
また、この発明の実施の形態に係る放送受信装置の制御方法は、ネットワーク経由で外部の機器から得たコンテンツを入力バッファを介して取得する取得処理を実行する第１の工程と、第１の工程による取得処理が実行されたとき、受信した放送コンテンツを出力バッファを介してネットワーク上に送信し外部の記録機器に記録させる記録処理が実行中であることを検出する第２の工程と、第２の工程による検出結果に基づいて、出力バッファに蓄積されたデータ量が予め設定された所定値以上になったことを検出する第３の工程と、第３の工程による検出結果に基づいて、第１の工程で取得するデータ量を制限する第４の工程とを備えるようにしたものである。
【発明の効果】
【０００９】
上記した構成及び方法によれば、放送コンテンツをネットワークを介して記録機器に記録させる処理と、ネットワークを介してコンテンツを取得する処理とが同時に実行される場合、出力バッファの蓄積データ量が所定値以上になったとき取得処理で取得するデータ量を制限するようにしたので、ネットワーク負荷が軽減され、出力バッファがオーバーフローすることを極力抑えることができ、ネットワーク接続された記録機器への放送コンテンツの記録処理を、高い信頼性を持って実現することができる。
【発明を実施するための最良の形態】
【００１０】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例とを概略的に示している。
【００１１】
すなわち、デジタルテレビジョン放送受信装置１１は、主として、薄型のキャビネット１２と、このキャビネット１２を起立させて支持する支持台１３とから構成されている。そして、このキャビネット１２には、例えばＳＥＤ（surface-conduction electron-emitter display）表示パネル，液晶表示パネル等でなる平面パネル型の映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された第２のメモリカード［ＩＣ（integrated circuit）カード等］２０が着脱可能となっており、この第２のメモリカード２０に対して情報の記録再生が行なわれるようになっている。
【００１４】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ１３９４端子２４を備えている。
【００１５】
このうち、第１のＬＡＮ端子２１は、ＬＡＮ対応ＨＤＤ専用ポートとして使用される。すなわち、この第１のＬＡＮ端子２１は、それに接続されたＮＡＳ（network attached storage）であるＬＡＮ対応のＨＤＤ２５に対して、イーサネット（登録商標）により情報の記録再生を行なうために使用される。
【００１６】
このように、デジタルテレビジョン放送受信装置１１にＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による放送番組の情報記録を安定して行なうことができる。
【００１７】
また、第２のＬＡＮ端子２２は、イーサネット（登録商標）を用いた一般的なＬＡＮ対応ポートとして使用される。すなわち、この第２のＬＡＮ端子２２は、ハブ２６を介して、ＬＡＮ対応のＨＤＤ２７、ＰＣ（personal computer）２８、ＨＤＤ内蔵のＤＶＤ（digital versatile disk）レコーダ２９等の機器を接続して家庭内ネットワークを構築し、これらの機器と情報伝送を行なうために使用される。
【００１８】
この場合、ＰＣ２８及びＤＶＤレコーダ２９については、それぞれ、家庭内ネットワークにおいてコンテンツのサーバ機器として動作するための機能を持ち、さらにコンテンツのアクセスに必要なＵＲＩ情報を提供するサービスを備えたＵＰｎＰ（universal plug and play）対応機器として構成される。
【００１９】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０が設けられている。
【００２０】
さらに、この第２のＬＡＮ端子２２は、ハブ２６に接続されたブロードバンドルータ３１を介して、例えばインターネット等の外部のネットワーク３２に接続される。そして、この第２のＬＡＮ端子２２は、ネットワーク３２を介してＰＣ３３や携帯電話３４等と情報伝送を行なうためにも使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２２】
さらに、上記ＩＥＥＥ１３９４端子２４は、例えばＡＶ（audio video）−ＨＤＤ４１、Ｄ（digital）−ＶＨＳ（video home system）４２等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳ（communication satellite）デジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（phase shift keying）復調器４６及びＴＳ（transport stream）復号器４７に順次供給されることにより、デジタルの映像信号及び音声信号に復調された後、信号処理部４８に出力される。
【００２５】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２６】
そして、このチューナ５０で選局された放送信号は、例えば日本ではＯＦＤＭ（orthogonal frequency division multiplexing）復調器５２及びＴＳ復号器５３に順次供給されることにより、デジタルの映像信号及び音声信号に復調された後、上記信号処理部４８に出力される。
【００２７】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００２８】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００２９】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３０】
信号処理部４８は、上記アナログ復調器５５及び各入力端子５８ａ〜５８ｄからそれぞれ供給されたアナログの映像信号及び音声信号を選択的にデジタル化し、このデジタル化された映像信号及び音声信号に対して所定のデジタル信号処理を施した後、グラフィック処理部５６及び音声処理部５７に出力する。
【００３１】
グラフィック処理部５６は、信号処理部４８から供給されるデジタルの映像信号に、ＯＳＤ（on screen display）信号生成部５９で生成されるＯＳＤ信号を重畳して出力する機能を有する。このグラフィック処理部５６は、信号処理部４８の出力映像信号と、ＯＳＤ信号生成部５９の出力ＯＳＤ信号とを選択的に出力すること、また、両出力をそれぞれ画面の半分を構成するように組み合わせて出力することができる。
【００３２】
グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３３】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３４】
ここで、このデジタルテレビジョン放送受信装置１１は、上記した各種の受信動作を含むその全ての動作を制御部６３によって統括的に制御されている。この制御部６３は、ＣＰＵ（central processing unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３５】
この場合、制御部６３は、主として、そのＣＰＵが実行する制御プログラムを格納したＲＯＭ（read only memory）６４と、該ＣＰＵに作業エリアを提供するＲＡＭ（random access memory）６５と、各種の設定情報及び制御情報等が格納される不揮発性メモリ６６とを利用している。
【００３６】
また、この制御部６３は、カードＩ／Ｆ（interface）６７を介して、前記第１のメモリカード１９が装着可能なカードホルダ６８に接続されている。これによって、制御部６３は、カードホルダ６８に装着された第１のメモリカード１９と、カードＩ／Ｆ６７を介して情報伝送を行なうことができる。
【００３７】
さらに、上記制御部６３は、カードＩ／Ｆ６９を介して、前記第２のメモリカード２０が装着可能なカードホルダ７０に接続されている。これにより、制御部６３は、カードホルダ７０に装着された第２のメモリカード２０と、カードＩ／Ｆ６９を介して情報伝送を行なうことができる。
【００３８】
また、上記制御部６３は、通信Ｉ／Ｆ７１を介して第１のＬＡＮ端子２１に接続されている。これにより、制御部６３は、第１のＬＡＮ端子２１に接続されたＬＡＮ対応のＨＤＤ２５と、通信Ｉ／Ｆ７１を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００３９】
さらに、上記制御部６３は、通信Ｉ／Ｆ７２を介して第２のＬＡＮ端子２２に接続されている。これにより、制御部６３は、第２のＬＡＮ端子２２に接続された各機器（図１参照）と、通信Ｉ／Ｆ７２を介して情報伝送を行なうことができる。
【００４０】
また、上記制御部６３は、ＵＳＢ Ｉ／Ｆ７３を介して前記ＵＳＢ端子２３に接続されている。これにより、制御部６３は、ＵＳＢ端子２３に接続された各機器（図１参照）と、ＵＳＢ Ｉ／Ｆ７３を介して情報伝送を行なうことができる。
【００４１】
さらに、上記制御部６３は、ＩＥＥＥ１３９４ Ｉ／Ｆ７４を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７４を介して情報伝送を行なうことができる。
【００４２】
ここで、上記制御部６３は、受信した復調後の放送コンテンツを、第２のＬＡＮ端子２２に接続されたＨＤＤ２７に送信して記録させるように制御する際、ＨＤＤ２７に送信すべきデータを、図３（ａ）に示すように、上記ＲＡＭ６４内に設定された出力バッファ部７５に一旦蓄積する。
【００４３】
この出力バッファ部７５は、家庭内ネットワークの伝送容量、デジタル記録再生機器であるＨＤＤ２７の記録データ単位等を考慮して、予め設定されたデータ量を記録可能な１０個のブロック７５ａ，７５ｂ，７５ｃ，……，７５ｊに分割されている。
【００４４】
そして、制御部６３は、例えば、出力バッファ部７５にブロック７５ａからブロック７５ｊに向けて順次データを書き込んで行き、ブロック７５ｊへのデータ書き込みが終了すると、再び、ブロック７５ａにデータを上書きするというように、各ブロック７５ａ〜７５ｊに対して循環的にデータの記録を行なうように制御している。
【００４５】
そして、制御部６３は、ブロック７５ａが満杯になると、そのブロック７５ａに蓄積されたデータを読み出してＨＤＤ２７に送信して記録させ、次に、ブロック７５ｂが満杯になると、そのブロック７５ｂに蓄積されたデータを読み出してＨＤＤ２７に送信して記録させるというように、各ブロック７５ａ〜７５ｊに対して循環的にデータの読み出しを行なうように制御している。
【００４６】
このため、ＨＤＤ２７に対して、正常に放送コンテンツの記録が行なわれている状態では、出力バッファ部７５に対するデータの書き込み速度と読み出し速度とのバランスがとれているため、データを書き込んでいるブロックとデータを読み出しているブロックとの２つのブロックだけが循環的に使用されることになり、他の８つのブロックには、既に読み出し済みのデータしか残らないことになる。
【００４７】
これに対し、例えば家庭内ネットワークの負荷状況等によってＨＤＤ２７へのデータ伝送速度が遅くなると、出力バッファ部７５に対するデータの書き込み速度に比べて読み出し速度が遅くなるため、出力バッファ部７５内で、まだ読み出されていないデータを蓄積したブロックの数が順次増えて行くことになる。
【００４８】
そして、出力バッファ部７５は、その全てのブロック７５ａ〜７５ｊが、まだ読み出されてないデータで満杯になったときオーバーフロー状態となり、ＨＤＤ２７に対する放送コンテンツの記録処理が破綻することになる。
【００４９】
一方、上記制御部６３は、第２のＬＡＮ端子２２に接続されたサーバ機器であるＰＣ２８にアクセスし、ＰＣ２８からＡＶコンテンツを取得して映像表示や音声再生に供させることができる。この場合、制御部６３は、ＰＣ２８から取得したデータを、図３（ｂ）に示すように、上記ＲＡＭ６４内に設定された入力バッファ部７６に一旦蓄積するように制御する。
【００５０】
この入力バッファ部７６は、家庭内ネットワークの伝送容量、サーバ機器であるＰＣ２８の出力データ単位等を考慮して、予め設定されたデータ量を記録可能な１０個のブロック７６ａ，７６ｂ，７６ｃ，……，７６ｊに分割されている。
【００５１】
そして、制御部６３は、例えば、入力バッファ部７６にブロック７６ａからブロック７６ｊに向けて順次データを書き込んで行き、ブロック７６ｊへのデータ書き込みが終了すると、再び、ブロック７６ａにデータを上書きするというように、各ブロック７６ａ〜７６ｊに対して循環的にデータの記録を行なうように制御している。
【００５２】
そして、制御部６３は、ブロック７６ａが満杯になると、そのブロック７６ａに蓄積されたデータを読み出して映像や音声の再生を行ない、次に、ブロック７６ｂが満杯になると、そのブロック７６ｂに蓄積されたデータを読み出して映像や音声の再生を行なうというように、各ブロック７６ａ〜７６ｊに対して循環的にデータの読み出しを行なうように制御している。
【００５３】
ここにおいて、受信した放送コンテンツをＨＤＤ２７に記録させる処理と、ＰＣ２８からＡＶコンテンツを取得する処理とを同時に実行している状態を考える。この場合、制御部６３は、出力バッファ部７５の中で、まだ読み出されていないデータを蓄積しているブロックの数を監視し、そのブロック数が８個以上になったとき、ＰＣ２８からのＡＶコンテンツの取得を停止するように制御する。
【００５４】
これにより、ＰＣ２８からデジタルテレビジョン放送受信装置１１にＡＶコンテンツを伝送する分のネットワーク負荷が軽減されることになるので、出力バッファ部７５がオーバーフローすることを極力防止することができる。このため、ネットワークに接続されたＨＤＤ２７に対する放送コンテンツの記録処理を、高い信頼性を持って実現することができる。
【００５５】
図４は、上記した制御部６３の処理動作をまとめたフローチャートを示している。すなわち、処理が開始（ステップＳ１）され、ステップＳ２で、ＰＣ２８からＡＶコンテンツを取得する処理が実行されると、制御部６３は、ステップＳ３で、受信した放送コンテンツをＨＤＤ２７に記録させる処理が実行されているか否かを判別する。
【００５６】
そして、記録処理が実行されていないと判断された場合（ＮＯ）、制御部６３は、そのまま処理を終了（ステップＳ６）する。
【００５７】
また、上記ステップＳ３で記録処理が実行されていると判断された場合（ＹＥＳ）、制御部６３は、ステップＳ４で、出力バッファ部７５の中で、まだ読み出されないデータを蓄積しているブロックの数が８個以上になったか否かを判別する。
【００５８】
そして、読み出されていないデータを蓄積しているブロックの数が８個未満であると判断された場合（ＮＯ）、制御部６３は、そのまま処理を終了（ステップＳ６）する。
【００５９】
一方、上記ステップＳ４で読み出されていないデータを蓄積しているブロックの数が８個以上であると判断された場合（ＹＥＳ）、制御部６３は、ステップＳ５で、ＰＣ２８からのＡＶコンテンツの取得処理を停止させて、ステップＳ２の処理に移行する。
【００６０】
上記した実施の形態によれば、放送コンテンツをＨＤＤ２７に記録させる処理と、ＰＣ２８からＡＶコンテンツを取得する処理とを同時に実行しているとき、出力バッファ部７５の中で、まだ読み出されていないデータを蓄積しているブロックの数が８個以上になったとき、ＰＣ２８からのＡＶコンテンツの取得を停止するようにしている。
【００６１】
このため、先に述べたように、ＰＣ２８からＡＶコンテンツを伝送する分のネットワーク負荷が軽減され、出力バッファ部７５がオーバーフローすることを極力抑えることができ、ネットワーク接続されたＨＤＤ２７に対する放送コンテンツの記録処理を、高い信頼性を持って実現することができる。
【００６２】
また、上記した実施の形態では、出力バッファ部７５の中で、まだ読み出されていないデータを蓄積しているブロックの数が８個以上になったとき、ＰＣ２８からのＡＶコンテンツの取得を停止するようにしたが、これは停止だけに限らず、例えば、ＰＣ２８から取得するＡＶコンテンツのデータ量を、正常時よりも少なくするように制限しても良いものである。
【００６３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６４】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置の出力バッファ部及び入力バッファ部を説明するために示す図。
【図４】同実施の形態におけるデジタルテレビジョン放送受信装置の主要な処理動作を説明するために示すフローチャート。
【符号の説明】
【００６５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６４…ＲＯＭ、６５…ＲＡＭ、６６…不揮発性メモリ、６７…カードＩ／Ｆ、６８…カードホルダ、６９…カードＩ／Ｆ、７０…カードホルダ、７１…通信Ｉ／Ｆ、７２…通信Ｉ／Ｆ、７３…ＵＳＢ Ｉ／Ｆ、７４…ＩＥＥＥ１３９４ Ｉ／Ｆ、７５…出力バッファ部、７６…入力バッファ部。
【図１】
2007067930.tif 000003
【図２】
2007067930.tif 000004
【図３】
2007067930.tif 000005
【図４】
2007067930.tif 000006